(57)【特許請求の範囲】
【請求項１】
弾性材料からなる弾性体シートと、該弾性材料と比較して変形しがたいが、地震による振動エネルギーが加わった墓石もしくは石碑による荷重により塑性変形する材料からなり、弾性体シートの厚みより大きい直径の１種又は２種以上の球状体とが、少なくともさお石と土台の間に挿入され、転倒防止が施された墓石もしくは石碑。
【請求項２】
請求項１に記載の墓石もしくは石碑において、球状体の周囲に球状体移動防止壁が設けられていることを特徴とする墓石もしくは石碑。
【請求項３】
請求項１もしくは請求項２のいずれかに記載の墓石もしくは石碑において、弾性材料からなる弾性体シート自体に、球状体もしくは球状体と球状体移動防止壁とを配置するための筒状の空洞が形成されていることを特徴とする墓石もしくは石碑。
【発明の詳細な説明】
【技術分野】
【０００１】
本発明は、転倒防止用シートにより転倒防止が施された、墓石や石碑に関する。
【背景技術】
【０００２】
従来、タンスなどの家具を積み重ねる際、粘着性、弾性を有するシートを、積み重ねたり設置したりする家具の間に挿入して、振動を吸収したり、移動を制限したりする試みがなされている。また、シートとして、鉛繊維と有機重合物を一体化させた制振シートを用いる方法（特許文献１）や、墓石さお石墓石土台の間に、ゴム膜を形成させる方法も開示されている（特許文献２）。また施工に際して、墓石さお石と墓石土台の間に、軟質接着材及び弾性緩衝材を挿入する方法も知られている（特許文献３）。
墓石さお石と墓石土台の間に貫通する金属棒を嵌合させる倒壊防止に関する方法も別に提案されている（特許文献４）が、施工が複雑である欠点がある。建造物の免震には、地震などによるエネルギーを減衰させることが必要で、ゴムと鋼材との積層品が有効とされ（非特許文献１）、関連する特許文献も開示されている（特許文献５）。
【０００３】
【特許文献１】実開昭５４−１１９６４号公報
【特許文献２】実開平２−５３５４１号公報
【特許文献３】特開平１１−９３４６０号公報
【特許文献４】特開２００５−１８０１３０号公報
【非特許文献１】www.kozosoft.co.jp/gijyutu/s20.html
【特許文献５】日本特許２５８９７２７号公報
【０００４】
しかし、前記シートを使用する方法を墓など重量のある構築物に応用しようとすると、重量により、中間に挿入するシートが押しつぶされて、転倒防止などの効果が減少してしまう欠点があり、施工方法を変更する方法では、煩雑となる欠点がある。
【発明の開示】
【発明が解決しようとする課題】
【０００５】
そこで本発明の目的は、弾性材料からなる弾性体シートの層内に、金属やプラスチックスなどの材料からなる球状体を配置した転倒防止用シート、または前記弾性体シートと該シートの層外に前記球状体とが配置され、転倒防止が施された墓石や石碑の開発にある。
【課題を解決するための手段】
【０００６】
すなわち、本発明の転倒防止が施された墓石ないしは石碑は、以下の特徴を有するものである。
（１）  弾性材料からなる弾性体シートと、該弾性材料と比較して変形しがたいが、地震による振動エネルギーが加わった墓石もしくは石碑による荷重により塑性変形する材料からなる１種又は２種以上の球状体とからなり、弾性体シートの層内に球状体が配置されている転倒防止用シートが、少なくともさお石と土台の間に挿入され転倒防止が施された墓石もしくは石碑、
（２）  弾性材料からなる弾性体シートと、該弾性材料と比較して変形しがたいが、地震による振動エネルギーが加わった墓石もしくは石碑による荷重により塑性変形する材料からなる１種又は２種以上の球状体とが、少なくともさお石と土台の間に、球状体は弾性体シートの層外に配置して共に挿入され、転倒防止が施された墓石もしくは石碑、
（３）  上記（２）に記載の墓石もしく石碑において、球状体の周囲に球状体移動防止壁が設けられていることを特徴とする墓石もしくは石碑、
（４）  上記（２）もしくは（３）のいずれかに記載の墓石もしくは石碑において、弾性材料からなる弾性体シート自体に、球状体もしくは球状体と球状体移動防止壁とを配置するための筒状の空洞が形成されていることを特徴とする墓石もしくは石碑、
（５）  上記（１）〜（４）のいずれかに記載の墓石もしくは石碑において、弾性体シートは弾性材料と金属材料またはプラスチックスとを積層した複合材料からなることを特徴とする墓石もしくは石碑、
（６）  上記（１）〜（５）のいずれかに記載の墓石もしくは石碑において、弾性材料と比較して変形しがたいが、地震による振動エネルギーが加わった墓石もしくは石碑による荷重により塑性変形する材料は、スズ、無鉛ハンダ、ハンダ、鉛、銀などの金属、ポリエチレン、ポリプロピレン、ポリエステルなどの線状高分子、メラミン樹脂、フェノール樹脂、エポキシ樹脂などの架橋構造を有するプラスチックス、及び弾性材料よりは加硫度の高いゴムから選ばれた材料であることを特徴とする墓石もしくは石碑、
（７）  上記（１）〜（６）のいずれかに記載の墓石もしくは石碑において、弾性材料はポリウレタンゴム、ブチルゴム、アクリルゴム、シリコンゴム、スチレン・ブタジエンゴム及び天然ゴムから選ばれた材料であることを特徴とする墓石もしくは石碑。
【０００７】
従来転倒防止などに広く使用されてきた、弾性材、あるいは粘着性プラスチックスのみを重量のある構築物などに使用すると、重量により、弾性材あるいは粘着性プラスチックスが変形して長期の使用に耐えない欠点がある。そこで本発明では、弾性材に加えて金属、プラスチックス、硬質ゴムなどの球状体を併用する。
【０００８】
本発明において、球状体に使用される材質は、金属、高分子、架橋構造を持つプラスチックス、硬質ゴム等である。これら材料は、弾性体より剛性があり、力が加えられたとき弾性体と比較して変形しがたい。弾性材料からなる弾性体シートと、金属、高分子、架橋構造を持つプラスチックス、硬質ゴムなどからなる球状体とを組み合わせた転倒防止用シートに、シート面に垂直方向から荷重が加わると、まず、弾性体シートが変形し、シートの厚さが薄くなる方向に変形する。さらに力が加わると、次に変形しやすい金属やプラスチックスなどが変形し、弾性体シートとともに構築物を支え、転倒防止効果を発揮する。変形しがたいセラミックスが弾性体シートに加えられているときには、このセラミックスは本発明の球状体の役割を果たさないので、セラミックスの径は他の材質の球状体に比べ最小径とし、本発明の球状体の働きを妨げないようにすることが必要である。
【０００９】
本発明で使用する球状体の形状としては、球、楕円球、角を丸くした立方体、角を丸
くした円柱などをあげることができる。これら形状において転倒防止用シートに均一に分布しやすく、方向の差による厚みの差が小さいからである。
【００１０】
本発明において、転倒防止用シートの厚みが、１ｍｍ〜５０ｍｍが好ましい。５０ｍｍより厚いと転倒防止の効果は飽和し、墓や石碑としての外観を阻害するからである。
【００１１】
本発明において、使用する球状体の径は、半径が０．５ｍｍ〜１０ｍｍが好ましい。０．５ｍｍより小さくなると効果が小さく、１０ｍｍより大きくなると、転倒防止用シートの厚みを必要とし、墓や石碑などとしての外観を阻害するからである。
【００１２】
本発明において、球状体に使用できる金属としては、好ましくは、スズ、無鉛ハンダ、ハンダ、鉛、真ちゅう、金、銀、金メッキ金属などの展性に富み、変形しやすいものをあげることができる。
【００１３】
本発明において、球状体に使用できるプラスチックスとしては、ポリエチレン、ポリプロピレン、ポリエステルなどの線状高分子や、メラミン樹脂、フェノール樹脂、エポキシ樹脂などの架橋構造を有するプラスチックスをあげることができる。入手が容易であるからである。
本発明において使用できる木材として、おがくず、木片をあげることができる。又本発明において使用できる紙としてお札、お守りをあげることができる。また本発明において球状体に使用することができる、弾性材料よりは加硫度の高いゴムとして、硬質ゴムをあげることができる。通常のゴムは軟質ゴムといわれ、不飽和ゴム１００重量部あたり０．５〜５重量部の硫黄が加えられているのに対し、硬質ゴムは、３０〜５０部の硫黄が加えられ、長時間加熱されたゴムをいい、硬く剛性の高いものである。
【００１４】
本発明において使用する弾性材料として、ポリウレタンゴム、ブチルゴム、アクリルゴム、シリコンゴム、スチレン・ブタジエンゴムなどの人工ゴムや天然ゴムをあげることができる。また墓や石碑に使用する石との粘着性を付与するため、テルペン系樹脂、フェノール系樹脂ロジン系樹脂などの粘着付与剤や、ポリアルキレングリコールなどの添加剤を配合することもできる。エチレン・酢酸ビニル共重合物など従来公知の線状高分子では、変形後の回復性が弱く一般には好ましくない。また弾性材料の中にシリカ、カーボン、石油樹脂、ポリアルキレングリコール、セラミックスなどを配合し免震性を高めることもできる。
【００１５】
本発明で使用する弾性材料は金属材料乃至プラスチックスと積層して複合材料として利用することもできる。ここに使用する金属材料としては、スズ、ステンレスからなる金属板をあげることができる。プラスチックスとしては、ポリエステルフィルム、ポリオレフィンフィルムをあげることができる。その厚みとしては、０．１〜２．０ミリメートル程度である。弾性材料と、金属材料乃至プラスチックスを積層することにより、地震の時、金属材料乃至プラスチックスは塑性変形が可能であり免震性を、より一層向上させることが可能となる。
【００１６】
本発明において、球状体の含有割合は、１．０〜４０．０重量％が好ましい。４０．０重量％より多くなると配合が困難となるからであり、１．０％より少ないと、転倒防止に対する効果が小さいからである。
【００１７】
本発明においては、転倒防止用シートは墓石さお石と墓石土台の間の全面に挿入する必要はなく、空けることもできるし、転倒防止用シートの間や、周辺・内部に、木、紙などを挿入することもできる。添加する球状体の径は、使用する弾性体シートの厚みより、小さくてもよいし、大きくてもよい。なお、添加する球状体の径が、使用する弾性材料の厚みより大きい場合は、使用する球状体の材質は、金属、プラスチックスなど比較的塑性変形しやすい材料を主体とすることが好ましい。弾性体シートと球状体を組み合わせて転倒防止が施された墓石や石碑においても同様である。
【００１８】
本発明においては、墓石さお石と墓石土台の間に弾性材料からなる弾性体シートと、金属、プラスチックス、硬質ゴムなど比較的変形しやすい材料からなる球状体が存在する。地震による振動エネルギーが伝わると弾性材料が変形すると同時に、金属、プラスチックス、硬質ゴムなど比較的塑性変形しやすい材料からなる球状体が変形することにより、地震のエネルギーをより多く吸収し、墓石さお石の倒壊を保護すると解される。本発明ではこのように地震による振動エネルギーが加わった墓石などの重量のある構築物の荷重により塑性変形する球状体が弾性体シートと併用されている。弾性体のみでは、ゴム弾性を示すため、金属、プラスチックス、硬質ゴムなど比較的塑性変形しやすい材料からなる球状体の変形によるエネルギーの吸収がなく全体のエネルギー吸収は少なく、本発明の場合より劣る。
【００１９】
本発明の転倒防止用シートの施工性改善のため、転倒防止用シートは、その片面乃至両面に接着剤乃至粘着剤を塗布し、墓石土台の上に重ね、墓石さお石を重ねることが好ましい場合もある。ここに使用される接着剤乃至粘着剤としては、生ゴム、アクリル系接着剤、酢酸ビニル系接着剤、エポキシ系接着剤をあげることができる。
【発明を実施するための最良の形態】
【００２０】
弾性体としてのポリエステルウレタンエラストマー３０．０部に対し、球状体としての平均２．５から４．０ｍｍのスズ球３．０部と弾性体への配合材料として平均１．５ｍｍのアルミナ系セラミック球２．０部を混合し、加熱混合したのち、シート状にひろげる。該シート中には、配合物としてのアルミナ系セラミックスと、球状体としてのスズ球が分散している。
得られたシートを切断し、図１に示すように、墓石土台２の上の４ケ所に置き、その上に図２に示すように墓石さお石３を重ねる。墓石さお石３の荷重により、転倒防止用シート４の内部では、弾性体は、広がって厚みを減少させ、スズ球がかなりの荷重を支えることになる。かくして得られた墓１は、地震などの震動に対して転倒しがたくなっている。
図２では転倒防止シート４を２個の墓石土台２の間にも挿入している。
図３は、ポリウレタン弾性体５・スズ系金属球６・アルミナセラミック球７からなる転倒防止用シートに荷重が負荷される前における模式断面図である。
図４は、ポリウレタン弾性体５・スズ系金属球６・アルミナセラミック球７からなる転倒防止用シートに荷重が負荷された場合の模式断面図でスズ球がかなりの荷重を支えている。
図５は、転倒防止に使用する弾性体シートとしてのポリウレタン弾性体５と、そのシートに形成された筒状の空洞中に弾性体シートの厚みより大きい径の球状体としてのスズ系金属球６及び筒型移動防止壁１０を入れ、墓石土台２の上に配し、墓石さお石３を重ねた直後の場合の模式断面図である。
図６は、図５と同様にポリウレタン弾性体５、スズ系金属球６、筒型移動防止壁１０を墓石土台２の上に配したときの平面図である。
図７は、転倒防止に使用する弾性体シートとしてのポリウレタン弾性体５と、そのシートに形成された筒状の空洞中に弾性体シートの厚みより大きい径の球状体としてのスズ系金属球６及び筒型移動防止壁１０を入れ、墓石土台２の上に配し、墓石さお石３を重ねて放置した場合の模式断面図である。
図５〜７においては、弾性体シートの層外に球状体を配置する例として、弾性体シートに筒状の空洞を形成し、その空洞中に球状体であるスズ系金属球６、筒型移動防止壁１０を入れて墓石土台２の上に配した。
図８は、図５における転倒防止に使用する弾性体シートとして、ポリウレタン弾性体５と金属板９を積層した複合材料からなる弾性体シート用いた場合の模式断面図である。
図９は、ポリウレタン弾性体５・スズ系金属球６・アルミナセラミック球７からなるシートに金属板９を重ね、さらにポリウレタン弾性体５・スズ系金属球６・アルミナセラミック球７からなるシートを重ねた構造の、転倒防止用シートに荷重が負荷された場合の模式断面図である。
【００２１】
前項（００２０）において、平均１．５ｍｍのアルミナセラミックス２．０部の代わりに、平均２．５〜４．０ｍｍのポリプロピレン球を使用した。かくして得られた墓は地震などの震動に対して転倒しがたくなっていることが確認された。
【００２２】
弾性体としてシリコン樹脂３０．０部に対し、平均１．５ｍｍのアルミナ球２．０部、平均２．３ｍｍのエポキシ樹脂を混合、シートにした後、架橋してシリコン樹脂の中にアルミナ、エポキシ樹脂球を内蔵するシートを得た。同様に、転倒防止性能がすぐれていた。
【００２３】
以上の説明によって明らかな様に、本発明による転倒防止が施された墓石もしくは石碑は、以下に列挙した如き、実用上の好ましい効果を奏する。
（ａ）  従来から存在する墓に対し墓の土台と、墓のあらゆる目地・隙間、さお石の間に挿入することで有効であり、地震などの災害から墓の破壊を守ることが可能である。
（ｂ）  従来から存在する墓の大幅な変更を行うことなく実施可能であり、改造費用も低くおさえることが可能であり、広く採用可能となる。
（ｃ）  転倒防止用シートや転倒防止方法に使用する部材も環境に対する影響がなく、安全である。
【図面の簡単な説明】
【００２４】
【図１】墓石土台の上に転倒防止用シートを配置した状態の模式平面図である。
【図２】墓石土台の上に転倒防止用シートを配置し、墓石のさお石を重ねた状態の模式正面図である。
【図３】ポリウレタン弾性体・スズ系金属球を用いた転倒防止用シートに荷重が負荷される前における模式断面図である。
【図４】ポリウレタン弾性体・スズ系金属球を用いた転倒防止用シートに荷重が負荷された場合の模式断面図である。
【図５】ポリウレタン弾性体とその厚みより大きい径のスズ系金属球を墓石土台の上に配し、墓石さお石を重ねた直後の場合の模式断面図である。
【図６】図５における場合の平面図である。
【図７】ポリウレタン弾性体とその厚みより大きい径のスズ系金属球を墓石土台の上に配し、墓石さお石を重ね放置した場合の模式断面図である。
【図８】弾性材料と金属材料を積層した複合材料を利用した弾性体シートと、該複合材料の厚みより大きい径のスズ系金属球を墓石土台の上に配し、墓石さお石を重ねた直後の場合の模式断面図である。
【図９】ポリウレタン弾性体・スズ系金属球を用いたシートに金属板を重ね、さらにポリウレタン弾性体・スズ系金属球を用いたシートを重ねた構造の、転倒防止用シートに荷重が負荷された場合の模式断面図である。
【図１】
0005113672.tif 000002
【図２】
0005113672.tif 000003
【図３】
0005113672.tif 000004
【図４】
0005113672.tif 000005
【図５】
0005113672.tif 000006
【図６】
0005113672.tif 000007
【図７】
0005113672.tif 000008
【図８】
0005113672.tif 000009
【図９】
0005113672.tif 000010